(57)【要約】【課題】内容物の使用を開始した後に、押下ヘッドの螺着部を規制部に再度螺着しなくても、内容物が吐出されないようにする。【解決手段】ステム１１を有するポンプ２４と、内容物を吐出する吐出孔１６ａが形成された押下ヘッド１６と、下降端位置に位置する押下ヘッドが着脱可能に装着される規制部２２と、を備え、押下ヘッドは、規制部に着脱可能に螺着された螺着部１６ｄを備え、押下ヘッドに設けられた被係止部１２が離脱可能に係止される係止部２６が配設され、上昇端位置に位置する押下ヘッドは、被係止部が係止部に係止されて下方移動が規制される規制位置と、被係止部が係止部から周方向に離間して下方移動が許容される許容位置と、の間を周方向に移動可能に配設され、上昇端位置に位置する押下ヘッドが許容位置で下方移動し、螺着部が規制部に到達したときに、被係止部が係止部より下方に位置する。【選択図】図１
2020147326.tif 000002
【特許請求の範囲】
【請求項１】
上方付勢状態で下方移動可能に設けられたステムを有するポンプと、
前記ステムの上端部に装着されるとともに、内容物を吐出する吐出孔が形成された押下ヘッドと、
下降端位置に位置する前記押下ヘッドが着脱可能に装着され、前記押下ヘッドおよび前記ステムの上方移動を規制する規制部と、を備え、
前記押下ヘッドは、前記規制部に着脱可能に螺着された螺着部を備え、
前記押下ヘッドに設けられた被係止部が離脱可能に係止される係止部が配設され、
上昇端位置に位置する前記押下ヘッドは、前記被係止部が前記係止部に係止されて下方移動が規制される規制位置と、前記被係止部が前記係止部から周方向に離間して下方移動が許容される許容位置と、の間を周方向に移動可能に配設され、
上昇端位置に位置する前記押下ヘッドが許容位置で下方移動し、前記螺着部が前記規制部に到達したときに、前記被係止部が前記係止部より下方に位置する、吐出器。
【請求項２】
前記被係止部および前記係止部のうちのいずれか一方は、上下方向に延びる縦溝を介して周方向に沿って複数配設され、いずれか他方は、上昇端位置に位置する前記押下ヘッドが許容位置で下方移動したときに、前記縦溝内を上下方向に移動する、請求項１に記載の吐出器。
【請求項３】
前記係止部に、上昇端位置に位置する前記押下ヘッドが規制位置に位置したときに、前記被係止部の許容位置側への移動を抑止する抑止部が形成されている、請求項１または２に記載の吐出器。
【請求項４】
前記係止部が設けられた係止筒が配設され、
前記押下ヘッドは、前記ステムに装着された装着筒と、前記装着筒を径方向の外側から囲い、かつ前記被係止部が設けられた外筒と、を備え、
前記係止筒および前記外筒のうちのいずれか一方の内側に、いずれか他方が上下動可能に挿入されている、請求項１から３のいずれか１項に記載の吐出器。
【請求項５】
容器本体の口部に装着される装着キャップを備え、
前記係止筒は、前記装着キャップを径方向の外側から囲い、かつ前記装着キャップと一体に形成されている、請求項４に記載の吐出器。
【発明の詳細な説明】
【技術分野】
【０００１】
本発明は、吐出器に関するものである。
【背景技術】
【０００２】
従来から、例えば下記特許文献１に示されるような、上方付勢状態で下方移動可能に設けられたステムを有するポンプと、ステムの上端部に装着されるとともに、内容物を吐出する吐出孔が形成された押下ヘッドと、下降端位置に位置する押下ヘッドが着脱可能に装着され、押下ヘッドおよびステムの上方移動を規制する規制部と、を備え、押下ヘッドが、規制部に着脱可能に螺着された螺着部を備えた吐出器が知られている。
この吐出器では、押下ヘッドの螺着部を規制部から外すと、押下ヘッドおよびステムが上方付勢力により上昇端位置に移動し、その後、押下ヘッドおよびステムを下方移動することで、内容物が吐出孔から吐出される。
ところで、使用者によっては、内容物の使用を開始した後に、この吐出器付きの容器本体を例えば携帯して外出する等のために、押下ヘッド等を下方移動させ、再び、押下ヘッドの螺着部を規制部に螺着することによって、内容物が吐出されないようにする場合がある。
【先行技術文献】
【特許文献】
【０００３】
【特許文献１】特開２０１５−２２７１８４号公報
【発明の概要】
【発明が解決しようとする課題】
【０００４】
しかしながら、前記従来の吐出器では、内容物の使用を開始した後に、内容物が吐出されないようにするためには、内容物を一度吐出しなければならないという問題があった。
【０００５】
本発明は、このような事情を考慮してなされたもので、内容物の使用を開始した後に、押下ヘッドの螺着部を規制部に再度螺着しなくても、内容物が吐出されないようにすることができる吐出器を提供することを目的とする。
【課題を解決するための手段】
【０００６】
上記課題を解決して、このような目的を達成するために、本発明の吐出器は、上方付勢状態で下方移動可能に設けられたステムを有するポンプと、前記ステムの上端部に装着されるとともに、内容物を吐出する吐出孔が形成された押下ヘッドと、下降端位置に位置する前記押下ヘッドが着脱可能に装着され、前記押下ヘッドおよび前記ステムの上方移動を規制する規制部と、を備え、前記押下ヘッドは、前記規制部に着脱可能に螺着された螺着部を備え、前記押下ヘッドに設けられた被係止部が離脱可能に係止される係止部が配設され、上昇端位置に位置する前記押下ヘッドは、前記被係止部が前記係止部に係止されて下方移動が規制される規制位置と、前記被係止部が前記係止部から周方向に離間して下方移動が許容される許容位置と、の間を周方向に移動可能に配設され、上昇端位置に位置する前記押下ヘッドが許容位置で下方移動し、前記螺着部が前記規制部に到達したときに、前記被係止部が前記係止部より下方に位置する。
【０００７】
この発明によれば、上昇端位置に位置する押下ヘッドが、被係止部が係止部に係止されて下方移動が規制される規制位置と、被係止部が係止部から周方向に離間して下方移動が許容される許容位置と、の間を周方向に移動可能に配設されている。したがって、内容物の使用を開始した後に、上昇端位置に位置する押下ヘッドを、許容位置から規制位置に移動することによって、押下ヘッドの螺着部を規制部に再度螺着しなくても、押下ヘッドを上昇端位置に位置させたままの状態で、押下ヘッドの下方移動を規制して、内容物が吐出されないようにすることができる。
上昇端位置に位置する押下ヘッドが許容位置で下方移動し、螺着部が規制部に到達したときに（以下、到達状態という）、被係止部が係止部より下方に位置するので、到達状態で、被係止部および係止部の周方向の相対移動が許容されることとなる。したがって、到達状態で、押下ヘッドを規制部に対して周方向に移動させることが可能になり、押下ヘッドの螺着部を規制部に螺着させること、および螺着部を規制部から外すことの双方を行うことができる。前者の場合、内容物が吐出されないようにすることを確実に実現することができる。
【０００８】
ここで、前記被係止部および前記係止部のうちのいずれか一方は、上下方向に延びる縦溝を介して周方向に沿って複数配設され、いずれか他方は、上昇端位置に位置する前記押下ヘッドが許容位置で下方移動したときに、前記縦溝内を上下方向に移動してもよい。
【０００９】
この場合、被係止部および係止部のうちのいずれか一方が、上下方向に延びる縦溝を介して周方向に沿って複数配設され、いずれか他方は、上昇端位置に位置する押下ヘッドが許容位置で下方移動したときに、縦溝内を上下方向に移動する。
したがって、螺着部が規制部に螺着され、下降端位置に位置している押下ヘッドを、周方向のうち、螺着部が規制部に対して緩む緩み方向に回転させ、規制部に対する螺着部の螺着を解除したときに、被係止部および係止部のうちのいずれか他方が、いずれか一方に上下方向で当接し、縦溝から周方向に離れていても、この回転操作を継続すれば、被係止部および係止部のうちのいずれか他方が、縦溝に到達することとなる。この際、ステムに加えられている上方付勢力によって、被係止部および係止部のうちのいずれか他方が、縦溝に進入し、押下ヘッドが上方移動する。
以上より、被係止部および係止部の周方向の相対位置を合わせなくても、従来から行われている、下降端位置に位置する押下ヘッドを、規制部に対して前記緩み方向に回転させる操作だけで、被係止部および係止部のうちのいずれか他方を、縦溝に進入させることができる。
【００１０】
また、前記係止部に、上昇端位置に位置する前記押下ヘッドが規制位置に位置したときに、前記被係止部の許容位置側への移動を抑止する抑止部が形成されてもよい。
【００１１】
この場合、係止部に、上昇端位置に位置する押下ヘッドが規制位置に位置したときに、被係止部の許容位置側への移動を抑止する抑止部が形成されているので、規制位置に位置する押下ヘッドが許容位置に移動するのを抑制することができる。
【００１２】
また、前記係止部が設けられた係止筒が配設され、前記押下ヘッドは、前記ステムに装着された装着筒と、前記装着筒を径方向の外側から囲い、かつ前記被係止部が設けられた外筒と、を備え、前記係止筒および前記外筒のうちのいずれか一方の内側に、いずれか他方が上下動可能に挿入されてもよい。
【００１３】
この場合、係止部が設けられた係止筒、および被係止部が設けられた外筒のうちのいずれか一方の内側に、いずれか他方が上下動可能に挿入されているので、吐出器の径方向のかさ張りを抑えることができる。
【００１４】
また、容器本体の口部に装着される装着キャップを備え、前記係止筒は、前記装着キャップを径方向の外側から囲い、かつ前記装着キャップと一体に形成されてもよい。
【００１５】
この場合、係止筒が、装着キャップを径方向の外側から囲い、かつ装着キャップと一体に形成されているので、部品点数の増大を抑えて構造の簡素化を図ることができる。
【発明の効果】
【００１６】
本発明によれば、内容物の使用を開始した後に、押下ヘッドの螺着部を規制部に再度螺着しなくても、内容物が吐出されないようにすることができる。
【図面の簡単な説明】
【００１７】
【図１】本発明に係る一実施形態の吐出器であって、押下ヘッドが許容位置に位置した状態を示す縦断面図である。
【図２】図１に示す吐出器において、押下ヘッドの外筒より径方向の内側に位置する部分を省略した状態のＩＩ−ＩＩ線矢視断面図である。
【図３】本発明に係る一実施形態の吐出器であって、押下ヘッドが規制位置に位置した状態を示す縦断面図である。
【図４】図１に示す吐出器において、押下ヘッドの外筒より径方向の内側に位置する部分を省略した状態のＩＶ−ＩＶ線矢視断面図である。
【図５】図１から図４に示す係止筒の内周面の展開模式図である。
【図６】本発明に係る一実施形態の吐出器であって、上昇端位置に位置する押下ヘッドが許容位置で下方移動し、螺着部が規制部に到達した状態を示す縦断面図である。
【図７】本発明に係る一実施形態の吐出器であって、押下ヘッドが下降端位置に位置した状態を示す縦断面図である。
【発明を実施するための形態】
【００１８】
以下、図面を参照し、本発明の一実施形態に係る吐出器１について説明する。
本実施形態の吐出器１は、図１に示されるように、容器本体Ｗの口部Ｗ１に装着される装着キャップ２１と、装着キャップ２１に、上方付勢状態で下方移動可能に貫設されたステム１１を有するポンプ２４と、ステム１１の上端部に装着されるとともに、内容物を吐出する吐出孔１６ａが形成された押下ヘッド１６と、下降端位置に位置する押下ヘッド１６が着脱可能に装着され、押下ヘッド１６およびステム１１の上方移動を規制する規制部２２と、を備えている。なお、容器本体Ｗに充填する内容物として、例えば、トリートメント、ボディソープ、ハンドソープ、シャンプー、リンス、コンディショナー、および洗剤等が挙げられる。
装着キャップ２１は、環状の天壁部２１ａを備える有頂筒状に形成されている。装着キャップ２１の内周面に、口部Ｗ１に螺着される雌ねじ部が形成されている。
【００１９】
ポンプ２４は、ステム１１の上下動に連係する筒状のピストン１４と、ピストン１４が上下摺動可能に嵌合されたシリンダ１５と、ステム１１の上下動に連係し、ピストン１４の内側に挿通されたピストンガイド１７と、シリンダ１５の下端開口を開閉する下部弁体１８と、を備えている。
装着キャップ２１、ステム１１、規制部２２、ピストン１４、およびシリンダ１５はそれぞれ、共通軸と同軸に配設されている。以下、この共通軸を軸線Ｏといい、軸線Ｏ方向から見て、軸線Ｏに交差する方向を径方向といい、軸線Ｏ回りに周回する方向を周方向という。
【００２０】
シリンダ１５の上部に径方向の外側に向けて突出するフランジ部１５ｄが全周にわたって形成され、フランジ部１５ｄが、容器本体Ｗの口部Ｗ１の上端開口縁上に配置されている。シリンダ１５のうち、フランジ部１５ｄより上方に位置する上端部は、装着キャップ２１の天壁部２１ａの内側に挿通されている。フランジ部１５ｄの上面に、装着キャップ２１の天壁部２１ａが配置されている。
【００２１】
シリンダ１５には、径方向に開口し、容器本体Ｗ内とシリンダ１５内とを連通する導入孔２０が形成されている。図示の例では、導入孔２０は、シリンダ１５の上部のうち、フランジ部１５ｄより下方に位置する部分に形成されている。導入孔２０は、押下ヘッド１６およびステム１１が上昇端位置に位置する待機状態で、ピストン１４により閉塞される。
シリンダ１５に、下端開口が容器本体Ｗの底部に位置する吸い上げパイプ１５ｅが連結されている。
【００２２】
ピストンガイド１７の上部は、ステム１１の下部内に嵌合されている。ピストンガイド１７の下部は、ステム１１およびピストン１４から下方に突出している。ピストンガイド１７の下端部が、付勢手段１９の上端部に支持されている。内容物の吐出後、ステム１１を上方に復元移動させる際に、ピストンガイド１７の下端部が、ピストン１４の下端部に係合し、ピストン１４を上方に復元移動させる。
【００２３】
下部弁体１８は、シリンダ１５内において、ピストンガイド１７の下方に位置する部分に配設されている。下部弁体１８は、シリンダ１５内の加圧時に、シリンダ１５の下端開口を閉塞したままに維持し、シリンダ１５内の減圧時に、シリンダ１５の下端開口を開放する逆止弁となっている。これにより、シリンダ１５内の加圧時に、シリンダ１５内の内容物がシリンダ１５の下端開口から容器本体Ｗ内に戻ることが阻止され、シリンダ１５内の減圧時に、容器本体Ｗ内の内容物が吸い上げパイプ１５ｅ内を通してシリンダ１５内に流入する。
【００２４】
押下ヘッド１６は、ステム１１に装着された装着筒１６ｂと、装着筒１６ｂから径方向の外側に向けて突出し、その先端に吐出孔１６ａが形成された吐出筒１６ｃと、装着筒１６ｂを径方向の外側から囲う筒状の螺着部１６ｄと、螺着部１６ｄを径方向の外側から囲う外筒１６ｆと、を備えている。
【００２５】
吐出筒１６ｃは、螺着部１６ｄおよび外筒１６ｆを径方向に貫いている。装着筒１６ｂの上部は、ステム１１の上端部から上方に突出しており、この上部に、径方向の外側に向けて突出し、ステム１１の上端開口縁に当接した係止突起１６ｅが形成されている。係止突起１６ｅの径方向の外端は、ステム１１の上端開口縁よりも径方向の外側に位置している。外筒１６ｆの下端部は、螺着部１６ｄの下端部より下方に位置している。
【００２６】
規制部２２は、シリンダ１５の上端部に外嵌された外嵌筒２２ａと、下降端位置に位置する押下ヘッド１６の螺着部１６ｄが螺着される雄ねじ筒２２ｂと、を備え、筒状に形成されている。雄ねじ筒２２ｂのうち、下部がシリンダ１５の上端部内に挿入され、かつ上部がシリンダ１５の上端部から上方に突出しており、この上部の外周面に雄ねじ部が形成されている。雄ねじ筒２２ｂの下部の外周面、およびシリンダ１５の上端部の内周面にはそれぞれ、互いに係合する回り止め部が形成されている。
【００２７】
ここで、規制部２２の雄ねじ筒２２ｂ、およびシリンダ１５それぞれの内周面と、ステム１１の外周面と、の間に、図７に示されるように、押下ヘッド１６が下降端位置に位置しているときに、シリンダ１５の導入孔２０を閉塞する閉塞筒２３が配設されている。閉塞筒２３の下端部は、図１に示されるように、押下ヘッド１６およびステム１１が上昇端位置に位置する待機時に、雄ねじ筒２２ｂより下方に位置し、シリンダ１５の内周面に当接している。
【００２８】
ステム１１の外周面と、閉塞筒２３の内周面と、の間に、外部と、シリンダ１５の導入孔２０と、を連通可能な導入通路２５が形成されている。前述の待機時に、閉塞筒２３の上端部は、規制部２２の雄ねじ筒２２ｂより上方に位置している。
ステム１１は、シリンダ１５に対して周方向に回転可能に配設されている。
【００２９】
以上の構成において、押下ヘッド１６を押下して、ステム１１およびピストンガイド１７とともに下方移動させると、まず、ピストンガイド１７の下端部が、ピストン１４の下端部から下方に離れて、シリンダ１５内とステム１１内とが連通し、また、ステム１１の下端部が、ピストン１４に係合する。さらに、この下方移動を継続すると、下部弁体１８がシリンダ１５の下端開口を閉塞したままの状態で、ピストン１４も下方移動することで、ピストン１４が導入孔２０から下方に離間しつつ、シリンダ１５内の内容物が加圧される。これにより、シリンダ１５内の内容物が、ステム１１内に流入し、吐出孔１６ａから吐出される。
【００３０】
そして、押下ヘッド１６の押下を解除すると、付勢手段１９の上方付勢力によって、ピストンガイド１７、ステム１１、および押下ヘッド１６が一体に上昇する。この過程において、ピストンガイド１７の下端部が、ピストン１４の下端部に係合し、ピストン１４も上昇する。この際、シリンダ１５内とステム１１内との連通が遮断される。
これにより、シリンダ１５内が減圧することで、下部弁体１８がシリンダ１５の下端開口を開放し、容器本体Ｗ内の内容物が、吸い上げパイプ１５ｅを通してシリンダ１５内に流入する。また、ピストン１４がシリンダ１５の導入孔２０を覆う。
【００３１】
そして、本実施形態では、押下ヘッド１６に設けられた被係止部１２が離脱可能に係止される係止部２６が配設されている。
被係止部１２は、径方向に突出した柱状の突起とされ、外筒１６ｆの外周面に配設されている。被係止部１２は、外筒１６ｆと一体に形成されている。被係止部１２は、２つ配設され、外筒１６ｆのうち、径方向で互いに対向する部分に１つずつ配設されている。２つの被係止部１２のうちの１つは、径方向のうち、吐出孔１６ａが開口している向きに突出している。なお、被係止部１２は、１つ、若しくは３つ以上配設されてもよい。
【００３２】
係止部２６は、装着キャップ２１を径方向の外側から囲い、かつ装着キャップ２１と一体に形成された係止筒３１に配設されている。
係止筒３１の内側に、外筒１６ｆが上下動可能に挿入されている。押下ヘッド１６が上昇端位置に位置したときに、係止筒３１の上端部内に、外筒１６ｆの下端部が挿入されている。係止筒３１の上端部は、装着キャップ２１より上方に位置している。係止筒３１および装着キャップ２１の各下端部は、環状の連結板３２を介して連結されている。係止筒３１および連結板３２は、軸線Ｏと同軸に配設されている。
【００３３】
係止部２６は、係止筒３１の内周面に配設されている。係止部２６は、係止筒３１の内周面から径方向の内側に向けて突出している。図５に示されるように、係止部２６は、係止筒３１の内周面に、上下方向に延びる縦溝２７を介して周方向に沿って複数配設されている。係止部２６は、径方向から見て矩形状を呈し、この矩形状を画成する４辺のうち、一対の辺が周方向に延び、かつ残り一対の辺が上下方向に延びている。係止部２６の上端縁は、係止筒３１の上端開口縁と面一になっている。係止部２６の下端縁は、係止筒３１の下端開口縁より上方に位置している。
連結板３２において、係止部２６と上下方向で対向する部分の全域に、上下方向に貫く型抜き用孔３２ａが形成されている。
【００３４】
係止部２６の上端部に、周方向のうち、螺着部１６ｄが規制部２２に対して緩む緩み方向Ｘの端部から、螺着部１６ｄが規制部２２に対して締め込まれる締め込み方向Ｙに向けて延びる横溝２８が形成されている。横溝２８は、係止部２６の内周面に形成されている。横溝２８は、この係止部２６に対して周方向の両側から連なる２つの縦溝２７のうち、前記緩み方向Ｘに位置する縦溝２７に開口している。横溝２８の深さは、縦溝２７の深さと同等になっている。横溝２８は、係止筒３１の上端部に配設されている。横溝２８は、係止部２６の上端縁に開口している。横溝２８および縦溝２７の各溝幅は、被係止部１２の外径以上となっている。
【００３５】
横溝２８を画成する内面のうち、下端に位置して上方を向く下端面に抑止部２６ａが形成されている。抑止部２６ａは、横溝２８の下端面における前記締め込み方向Ｙの端部に形成され、下方に窪んでいる。抑止部２６ａは、係止部２６における周方向の中央部に位置している。抑止部２６ａの深さは、被係止部１２の外径より浅くなっている。
【００３６】
図５に示されるように、係止部２６の下端部における周方向の両端に位置する２つの角部２６ｂ、２６ｃのうち、前記緩み方向Ｘに位置する角部２６ｂの面取り量が、前記締め込み方向Ｙに位置する角部２６ｃの面取り量より大きくなっている。図示の例では、前記２つの角部２６ｂ、２６ｃは、径方向から見て突曲線状を呈し、前記緩み方向Ｘに位置する角部２６ｂの曲率半径が、前記締め込み方向Ｙに位置する角部２６ｃの曲率半径より大きくなっている。
【００３７】
以上の構成において、押下ヘッド１６が上昇端位置に位置したときに、被係止部１２、および横溝２８それぞれの上下方向の位置は互いに同等になっており、押下ヘッド１６およびステム１１を、前記締め込み方向Ｙに回転させたときに、被係止部１２が横溝２８に進入して横溝２８の下端面に当接、若しくは近接する。これにより、上昇端位置に位置する押下ヘッド１６は、被係止部１２が係止部２６に係止されて下方移動が規制される。
図示の例では、押下ヘッド１６が上昇端位置に位置した状態で、前述のように押下ヘッド１６およびステム１１を、前記締め込み方向Ｙに回転させたときに、被係止部１２の下端部が、係止部１６の表面のうち前記緩み方向Ｘを向く側面と、横溝２８の下端面と、の接続部分に摺接して、横溝２８の下端面に乗り上がるように横溝２８内に進入する。
一方、押下ヘッド１６が上昇端位置に位置した状態で、押下ヘッド１６およびステム１１を、前記緩み方向Ｘに回転させ、被係止部１２を、横溝２８から抜き出して縦溝２７に位置させると、被係止部１２が係止部２６から周方向に離間して、被係止部１２が縦溝２７内を下方に向けて移動可能になることで、押下ヘッド１６の下方移動が許容される。
【００３８】
以上より、上昇端位置に位置する押下ヘッド１６は、図３および図４に示されるような、被係止部１２が係止部２６に係止されて下方移動が規制される規制位置と、図１および図２に示されるような、被係止部１２が係止部２６から周方向に離間して下方移動が許容される許容位置と、の間を周方向に移動可能に配設されている。
【００３９】
ここで、上昇端位置に位置する押下ヘッド１６が、規制位置に位置した状態で、被係止部１２が、横溝２８における前記締め込み方向Ｙの端部に到達すると、図４および図５に示されるように、抑止部２６ａに係合する。これにより、被係止部１２の許容位置側への移動が抑止される。
上昇端位置に位置する押下ヘッド１６が、許容位置で下方移動し、図６に示されるように、螺着部１６ｄの下端部が、規制部２２の雄ねじ筒２２ｂの上端部に到達したときに、被係止部１２が、縦溝２７を通過して係止部２６より下方に位置する。図示の例では、この際、螺着部１６ｄの下端部が、規制部２２の雄ねじ筒２２ｂの上端部に当接している。
【００４０】
以上説明したように、本実施形態による吐出器１によれば、上昇端位置に位置する押下ヘッド１６が、被係止部１２が係止部２６に係止されて下方移動が規制される規制位置と、被係止部１２が係止部２６から周方向に離間して下方移動が許容される許容位置と、の間を周方向に移動可能に配設されている。したがって、内容物の使用を開始した後に、上昇端位置に位置する押下ヘッド１６を、許容位置から規制位置に移動することによって、押下ヘッド１６の螺着部１６ｄを規制部２２に再度螺着しなくても、押下ヘッド１６を上昇端位置に位置させたままの状態で、押下ヘッド１６の下方移動を規制して、内容物が吐出されないようにすることができる。
【００４１】
上昇端位置に位置する押下ヘッド１６が許容位置で下方移動し、図６に示されるように、螺着部１６ｄが規制部２２に到達したときに（以下、到達状態という）、被係止部１２が係止部２６より下方に位置するので、到達状態で、被係止部１２および係止部２６の周方向の相対移動が許容されることとなる。したがって、到達状態で、押下ヘッド１６を規制部２２に対して周方向に移動させることが可能になり、押下ヘッド１６の螺着部１６ｄを規制部２２に螺着させること、および螺着部１６ｄを規制部２２から外すことの双方を行うことができる。前者の場合、内容物が吐出されないようにすることを確実に実現することができる。
【００４２】
本実施形態では、到達状態で、押下ヘッド１６の係止突起１６ｅの下面が、閉塞筒２３の上端開口縁に当接、若しくは近接している。したがって、到達状態で、押下ヘッド１６の螺着部１６を規制部２２に対して前記締め込み方向Ｙに回転させ、図７に示されるように、螺着部１６を規制部２２に螺着し、押下ヘッド１６を下降端位置に位置させると、閉塞筒２３が係止突起１６ｅにより下方移動させられ、閉塞筒２３の下端部が、シリンダ１５の導入孔２０を閉塞する。この際、吐出筒１６ｃは、係止筒３１より上方に位置し、外筒１６ｆの下端開口縁は、連結板３２の上面に当接、若しくは近接している。
【００４３】
係止部２６が、上下方向に延びる縦溝２７を介して周方向に沿って複数配設され、被係止部１２が、上昇端位置に位置する押下ヘッド１６が許容位置で下方移動したときに、縦溝２７内を上下方向に移動する。
したがって、図７に示されるような、螺着部１６ｄが規制部２２に螺着され、下降端位置に位置している押下ヘッド１６を、前記緩み方向Ｘに回転させ、規制部２２に対する螺着部１６ｄの螺着を解除したときに、被係止部１２が、係止部２６の下端縁に当接し、縦溝２７から周方向に離れていても、この回転操作を継続すれば、被係止部１２が縦溝２７に到達することとなる。この際、ステム１１に加えられている上方付勢力によって、被係止部１２が、縦溝２７に進入し、押下ヘッド１６が上方移動する。
以上より、被係止部１２および係止部２６の周方向の相対位置を合わせなくても、従来から行われている、下降端位置に位置する押下ヘッド１６を、規制部２２に対して前記緩み方向Ｘに回転させる操作だけで、被係止部１２を縦溝２７に進入させることができる。
【００４４】
ここで、係止部２６の下端部における周方向の両端に位置する２つの角部２６ｂ、２６ｃのうち、前記緩み方向Ｘに位置する角部２６ｂの面取り量が、前記締め込み方向Ｙに位置する角部２６ｃの面取り量より大きくなっている。
したがって、前述のように、規制部２２に対する螺着部１６ｄの螺着を解除したときに、係止部２６の下端縁に当接している被係止部１２を、引っ掛かり少なく円滑に縦溝２７に導入することができるとともに、図６に示されるような到達状態で、押下ヘッド１６を前記締め込み方向Ｙに回転させたときに、被係止部１２が、係止部２６の前記角部２６ｂに引っ掛かるのを抑制することができる。
【００４５】
係止部２６に、上昇端位置に位置する押下ヘッド１６が規制位置に位置したときに、被係止部１２の許容位置側への移動を抑止する抑止部２６ａが形成されているので、規制位置に位置する押下ヘッド１６が許容位置に移動するのを抑制することができる。
【００４６】
係止部２６が設けられた係止筒３１の内側に、被係止部１２が設けられた外筒１６ｆが上下動可能に挿入されているので、吐出器１の径方向のかさ張りを抑えることができる。
係止筒３１の内側に挿入された外筒１６ｆの外周面に、被係止部１２が配設され、係止部２６が、係止筒３１の内周面に配設されているので、被係止部１２および係止部２６を外部から視認不能にすることが可能になり、被係止部１２および係止部２６を配設したことによる見栄えの悪化を防ぐことができる。
【００４７】
係止筒３１が、装着キャップ２１を径方向の外側から囲い、かつ装着キャップ２１と一体に形成されているので、部品点数の増大を抑えて構造の簡素化を図ることができる。
【００４８】
本発明は上記した実施の形態に限定されるものではなく、その趣旨を逸脱しない範囲で適宜変更可能である。
【００４９】
例えば  前記実施形態では、被係止部１２が、径方向に突出した柱状の突起とされ、係止部２６が、上下方向に延びる縦溝２７を介して周方向に沿って複数配設された構成を示したが、被係止部１２として、上下方向に延びる縦溝を介して周方向に沿って複数配設された構成を採用し、係止部２６として、上昇端位置に位置する押下ヘッド１６が、許容位置で下方移動したときに、縦溝内を上下方向に移動する柱状の突起等を採用してもよい。
【００５０】
前記実施形態では、係止筒３１の内側に、外筒１６ｆが上下動可能に挿入された構成を示したが、外筒１６ｆの内側に、係止筒３１が上下動可能に挿入された構成を採用してもよい。この場合、被係止部１２を、外筒１６ｆの内周面に配設し、係止部２６を、係止筒３１の外周面に配設してもよい。これにより、被係止部１２および係止部２６を外部から視認不能にすることが可能になり、被係止部１２および係止部２６を配設したことによる見栄えの悪化を防ぐことができる。
【００５１】
外筒１６ｆを設けずに、螺着部１６ｄの外周面に、被係止部１２を配設してもよい。
係止部２６に抑止部２６ａを形成しなくてもよい。
閉塞筒２３を有しない構成を採用してもよい。
【００５２】
前記実施形態では、上昇端位置に位置する押下ヘッド１６が、許容位置で下方移動し、図６に示されるように、螺着部１６ｄの下端部が、規制部２２の雄ねじ筒２２ｂの上端部に到達したときに、螺着部１６ｄの下端部が、規制部２２の雄ねじ筒２２ｂの上端部に当接した構成を示したが、これに代えて例えば、螺着部１６ｄおよび規制部２２の雄ねじ筒２２ｂに、ねじに代えてバヨネット式の係止機構を配設し、上昇端位置に位置する押下ヘッド１６が、許容位置で下方移動し、螺着部１６ｄの下端部が、規制部２２の雄ねじ筒２２ｂの上端部に到達したときに、螺着部１６ｄの下端部が、規制部２２の雄ねじ筒２２ｂの上端部に非接触となる構成を採用してもよい。
また、螺着部１６ｄおよび規制部２２は、筒状に限らず、例えば中実、若しくは板状に形成する等適宜変更してもよい。このうち、板状に形成する場合、周方向に間隔をあけて複数配設してもよい。
【００５３】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５４】
１  吐出器
１１  ステム
１２  被係止部
１６  押下ヘッド
１６ａ  吐出孔
１６ｂ  装着筒
１６ｄ  螺着部
１６ｆ  外筒
２１  装着キャップ
２２  規制部
２４  ポンプ
２６  係止部
２６ａ  抑止部
２７  縦溝
３１  係止筒
Ｗ  容器本体
Ｗ１  口部
【図１】
2020147326.tif 000003
【図２】
2020147326.tif 000004
【図３】
2020147326.tif 000005
【図４】
2020147326.tif 000006
【図５】
2020147326.tif 000007
【図６】
2020147326.tif 000008
【図７】
2020147326.tif 000009